(57)【要約】  【課題】弾性伸縮部材の固着方法としてビード塗布方式を採用する条件の下で、吸収体の縮こまりを防止すべく吸収体上を横断する弾性伸縮部材を切断するに当たり、弾性伸縮部材の固定点が揃わずジグザグ状になる問題点を解決する。  【解決手段】前記外装シート２０は、前身頃Ｆ及び後身頃Ｂにおいて複数本の湾曲弾性伸縮部材群２６…、２８…を備える。これら湾曲弾性伸縮部材群２６…、２８…は、少なくとも前記吸収性本体１０上の横断領域において、外装シート２０に対して上下方向に間隔をおき水平方向に沿って複数条の列を成すように塗布された接着剤によって固着されるとともに、前記接着剤の間隔幅Ｓ１と前記湾曲弾性伸縮部材間の接着剤間隔幅方向の離間幅Ｓ２との比がほぼ整数倍に設定され、かつ前記吸収性本体１０上において、前記湾曲弾性伸縮部材群２６…、２８…がおむつ長手方向に沿うライン上で切断され不連続とされる。【選択図】図９
2006149749.tif 000002
【特許請求の範囲】
【請求項１】
吸収体を含む吸収性本体と、この吸収性本体の外面側に一体的に設けられた外装シートとからなり、製品状態で前記外装シートの前身頃と後身頃とが両側部において接合されることによりウエスト開口部及び左右一対のレッグ開口部が形成されたパンツ型使い捨ておむつにおいて、
前記外装シートは、前身頃及び後身頃のそれぞれにおいて、少なくとも前身頃と後身頃とを接合する一方側接合縁から股下側に延び、前記吸収性本体上を横断して前身頃と後身頃との他方側接合縁に到達するとともに、互いに交差することなく間隔をおいて配置された複数本の湾曲弾性伸縮部材群を備え、
前記湾曲弾性伸縮部材群は、少なくとも前記吸収性本体上の横断領域において、外装シートに対して上下方向に間隔をおき水平方向に沿って複数条の列を成すように塗布された接着剤によって固着されるとともに、前記接着剤の間隔幅と前記湾曲弾性伸縮部材間の接着剤間隔幅方向の離間幅との比がほぼ整数倍に設定され、かつ前記吸収性本体上において、前記湾曲弾性伸縮部材群がおむつ長手方向に沿うライン上で切断され不連続とされることを特徴とするパンツ型使い捨ておむつ。
【請求項２】
吸収体を含む吸収性本体と、この吸収性本体の外面側に一体的に設けられた外装シートとからなり、製品状態で前記外装シートの前身頃と後身頃とが両側部において接合されることによりウエスト開口部及び左右一対のレッグ開口部が形成されたパンツ型使い捨ておむつにおいて、
前記外装シートは、前記ウエスト開口部回りに配置されたウエスト部弾性伸縮部材と、前身頃及び後身頃に上下方向に間隔をおいて水平方向に沿って配置された複数の腰回り弾性伸縮部材群とを有するとともに、前身頃及び後身頃のそれぞれにおいて、少なくとも前身頃と後身頃とを接合する一方側接合縁から股下側に延び、前記吸収性本体上を横断して前身頃と後身頃との他方側接合縁に到達するとともに、互いに交差することなく間隔をおいて配置された複数本の湾曲弾性伸縮部材群を備えるとともに、該湾曲弾性伸縮部材群は、前記外装シートの縁部と、前記吸収性本体と、前記腰回り弾性伸縮部材群とに囲まれる当該外装シートの領域全体をほぼ覆うように形成され、
前記湾曲弾性伸縮部材群は、少なくとも前記吸収性本体上の横断領域において、外装シートに対して上下方向に間隔をおき水平方向に沿って複数条の列を成すように塗布された接着剤によって固着されるとともに、前記接着剤の間隔幅と前記湾曲弾性伸縮部材間の接着剤間隔幅方向の離間幅との比がほぼ整数倍に設定され、かつ前記吸収性本体上において、前記湾曲弾性伸縮部材群がおむつ長手方向に沿うライン上で切断され不連続されることを特徴とするパンツ型使い捨ておむつ。
【請求項３】
前記湾曲弾性伸縮部材群は前身頃及び後身頃のそれぞれにおいて、少なくとも５本以上配置されている請求項１〜２記載のパンツ型使い捨ておむつ。
【請求項４】
前記吸収体上において、前記腰回り弾性伸縮部材群を切断し不連続としてある請求項２〜３いずれかに記載のパンツ型使い捨ておむつ。
【発明の詳細な説明】
【技術分野】
【０００１】
本発明は、身体に対するフィット性、おむつのずり落ち防止性に優れるとともに、弾性伸縮部材による吸収体の縮こまり等を防止したパンツ型使い捨ておむつに関する。
【背景技術】
【０００２】
従来より、パンツ型使い捨ておむつでは、体液の吸収を図る吸収体を身体に装着するため、前記吸収体を保持する不織布などに対して弾性伸縮部材を配設し、身体へのフィット性を向上させるようにしている。
【０００３】
例えば、図１２に示すように、トップシートとバックシートとの間に吸収体４０を介在させたおむつ本体５０において、ウエスト開口部を形成する前身頃５０Ｆと、後身頃５０Ｂに配設されるウエスト弾性部材５１と、前身頃５０Ｆと後身頃５０Ｂのそれぞれから股下部の略中央側に凸状に湾曲して、レッグ開口部を形成するおむつ本体５０の縁部に沿うように配置されるレッグ弾性部材５２，５２…とを備えるパンツ型使い捨て紙おむつが知られている（例えば、特許文献１参照）。
【０００４】
また、図１３に示すように、おむつ本体６０の前身頃側と後身頃側のそれぞれにおいて、左右方向に沿って複数の弾性伸縮部材６１，６１…を配設するとともに、ウエスト開口部側から股下側に向かうにつれて、その弾性伸縮部材６１，６１…がウエスト開口部側から股下部側に凸状に湾曲するように配置されているパンツ型使い捨ておむつが知られている（例えば、特許文献２参照）。
【特許文献１】特開２０００−２５８９３１号公報
【特許文献２】特開２００１−２０４７６２号公報
【特許文献３】特開２００２−３５０３０号公報
【発明の開示】
【発明が解決しようとする課題】
【０００５】
しかしながら、上記特許文献１の場合、レッグ弾性部材５２はレッグ開口部を形成するおむつ本体５０の縁部に沿うように配設されているので、レッグ弾性部材５２の収縮力により、レッグ開口部をおむつの着用者にフィットさせることができるが、レッグ弾性部材５２とウエスト弾性部材５１と吸収体４０とに囲まれた、トップシートとバックシートからなる外装シートにおける略三角形領域Ｔｒは、その周囲がレッグ弾性部材５２とウエスト弾性部材５１とにより収縮されることにより、製品状態においてその略三角形領域Ｔｒの内側が膨らんだ形状を帯びてしまい、おむつの内側にポケット様の空間が形成されてしまうことになる。
【０００６】
このようなパンツ型使い捨て紙おむつを脱ぎ履きする際に、このポケット様の空間に足指や踵が引っ掛かってしまうことがあり、着用の際の妨げになることがあるという問題があった。
【０００７】
また、上記特許文献２の場合、複数の弾性伸縮部材６１，６１…の内、股下部側の弾性伸縮部材を湾曲させることにより、おむつ自体やおむつの吸収体を身体にフィットさせるようになっているが、おむつを腰回りに安定させるための作用力となる弾性伸縮部材６１，６１…の収縮力が弱くなってしまい、おむつが腰回りからずり落ち易くなってしまうという問題があった。
【０００８】
一方、前記特許文献１のように、レッグ弾性部材５２，５２…が吸収体４０を横断する態様の場合、レッグ弾性部材５２，５２…の収縮力が吸収体４０に伝わり吸収体４０を縮こまらせてしまう問題がある。この問題に対処するためには、吸収体４０上のレッグ弾性部材５２、５２…を切断し収縮力が吸収体４０に導入されないようにする方法が提案されている（例えば、特許文献３参照）。
【０００９】
他方で、弾性伸縮部材をシートに固着するに際して、シート側の弾性伸縮部材配設領域にホットメルト接着剤を一様にカーテン状に塗布し、その上に弾性伸縮部材を導入し固定する方法が多用されているが、この方法の場合にはシート自体が硬くなって装着感が悪くなってしまうことがあるため、近年は接着剤を所定の間隔を空けて複数条の列を成すように塗布し、弾性伸縮部材を固着する方法が提案されている（以下、ビード塗布方式という）。
【００１０】
しかしながら、図１１に示されるように、前記ビード塗布方式を採用する条件の下で、吸収体の縮こまりを無くすために吸収体４０上で弾性伸縮部材を切断した際、弾性伸縮部材の固定点（固定点ラインＬ）が揃わずジグザグ状なってしまうという問題がある。その結果、吸収体のフィット性が損なわれたり、吸収体に皺が発生したりするなどの問題が発生するとともに、外観が悪くなるなどの問題があった。
【００１１】
そこで本発明の主たる課題は、体液吸収時において確実に紙おむつのずり落ちを防止するとともに、紙おむつをショーツやブリーフのように身体のラインに沿わせて密着させ、かつ弾性伸縮部材の固着方法としてビード塗布方式を採用する条件の下で、吸収体の縮こまりを防止すべく弾性伸縮部材を切断するに当たり、弾性伸縮部材の固定点が揃わずジグザグ状になる問題点を解決することにある。
【課題を解決するための手段】
【００１２】
前記課題を解決するために請求項１に係る本発明として、吸収体を含む吸収性本体と、この吸収性本体の外面側に一体的に設けられた外装シートとからなり、製品状態で前記外装シートの前身頃と後身頃とが両側部において接合されることによりウエスト開口部及び左右一対のレッグ開口部が形成されたパンツ型使い捨ておむつにおいて、
前記外装シートは、前身頃及び後身頃のそれぞれにおいて、少なくとも前身頃と後身頃とを接合する一方側接合縁から股下側に延び、前記吸収性本体上を横断して前身頃と後身頃との他方側接合縁に到達するとともに、互いに交差することなく間隔をおいて配置された複数本の湾曲弾性伸縮部材群を備え、
前記湾曲弾性伸縮部材群は、少なくとも前記吸収性本体上の横断領域において、外装シートに対して上下方向に間隔をおき水平方向に沿って複数条の列を成すように塗布された接着剤によって固着されるとともに、前記接着剤の間隔幅と前記湾曲弾性伸縮部材間の接着剤間隔幅方向の離間幅との比がほぼ整数倍に設定され、かつ前記吸収性本体上において、前記湾曲弾性伸縮部材群がおむつ長手方向に沿うライン上で切断され不連続とされることを特徴とするパンツ型使い捨ておむつが提供される。
【００１３】
請求項２に係る本発明として、吸収体を含む吸収性本体と、この吸収性本体の外面側に一体的に設けられた外装シートとからなり、製品状態で前記外装シートの前身頃と後身頃とが両側部において接合されることによりウエスト開口部及び左右一対のレッグ開口部が形成されたパンツ型使い捨ておむつにおいて、
前記外装シートは、前記ウエスト開口部回りに配置されたウエスト部弾性伸縮部材と、前身頃及び後身頃に上下方向に間隔をおいて水平方向に沿って配置された複数の腰回り弾性伸縮部材群とを有するとともに、前身頃及び後身頃のそれぞれにおいて、少なくとも前身頃と後身頃とを接合する一方側接合縁から股下側に延び、前記吸収性本体上を横断して前身頃と後身頃との他方側接合縁に到達するとともに、互いに交差することなく間隔をおいて配置された複数本の湾曲弾性伸縮部材群を備えるとともに、該湾曲弾性伸縮部材群は、前記外装シートの縁部と、前記吸収性本体と、前記腰回り弾性伸縮部材群とに囲まれる当該外装シートの領域全体をほぼ覆うように形成され、
前記湾曲弾性伸縮部材群は、少なくとも前記吸収性本体上の横断領域において、外装シートに対して上下方向に間隔をおき水平方向に沿って複数条の列を成すように塗布された接着剤によって固着されるとともに、前記接着剤の間隔幅と前記湾曲弾性伸縮部材間の接着剤間隔幅方向の離間幅との比がほぼ整数倍に設定され、かつ前記吸収性本体上において、前記湾曲弾性伸縮部材群がおむつ長手方向に沿うライン上で切断され不連続されることを特徴とするパンツ型使い捨ておむつが提供される。
【００１４】
上記請求項１，２記載の本発明において、外装シートは前身頃及び後身頃のそれぞれにおいて、前身頃と後身頃とを接合する一方側接合縁から股下側に延び、前記吸収性本体上を横断して前身頃と後身頃との他方側接合縁に到達するとともに、互いに交差することなく間隔をおいて配置された複数本の湾曲弾性伸縮部材群を備えているため、おむつのずり落ちを防止するとともに、ショーツやブリーフのように身体のラインに沿わせて密着させることができる。
【００１５】
また、前記湾曲弾性伸縮部材群は、少なくとも前記吸収性本体上の横断領域において、外装シートに対して上下方向に間隔をおき水平方向に沿って複数条の列を成すように塗布された接着剤によって固着されるビード塗布方式によって固着される条件の下で、吸収体の縮こまりを防止すべく弾性伸縮部材を切断するに当たり、前記接着剤の間隔幅と前記湾曲弾性伸縮部材間の接着剤間隔幅方向の離間幅との比がほぼ整数倍になるように設定した。その結果、湾曲弾性伸縮部材群と、接着剤ラインとの交点部が、おむつ長手方向に沿うライン上に揃うようになるため、前記湾曲弾性伸縮部材群を吸収性本体上でおむつ長手方向に沿うライン上で切断したとすると、前記湾曲弾性伸縮部材の固定点が一様に揃うようになる。
【００１６】
加えて、上記請求項２記載の発明では、特に前記湾曲弾性伸縮部材群は、前記外装シートの側縁と、前記吸収性本体と、前記腰回り弾性伸縮部材群とに囲まれる当該外装シートの領域全体をほぼ覆うように形成されているので、その外装シートの領域全体が、ほぼ均一に湾曲弾性伸縮部材群により収縮されることとなり、従来のようにその領域の内側が膨らんでしまい、ポケット様の空間が形成されてしまうことはない。このように、パンツ型使い捨ておむつ（外装シート）の内側に着用の妨げになるポケット様の空間が無ければ、着用者がパンツ型使い捨ておむつを脱ぎ履きする際に、その内側に足指や踵が引っ掛かりにくくなるので、パンツ型使い捨ておむつの外装シートを着用し易くなる。また、同請求項２記載の発明では、パンツ型使い捨ておむつは、湾曲弾性伸縮部材群とは別に、身体の腰回りに当たる前身頃及び後身頃に腰回り弾性伸縮部材を備えているので、パンツ型使い捨ておむつを腰回りに安定して装着することができ、パンツ型使い捨ておむつがズリ落ちにくくなる。
【００１７】
請求項３に係る本発明として、前記湾曲弾性伸縮部材群は前身頃及び後身頃のそれぞれにおいて、少なくとも５本以上配置されている請求項１〜２記載のパンツ型使い捨ておむつが提供される。紙おむつのズリ落ちを効果的に防止するには、前記湾曲弾性伸縮部材群は、少なくとも５本以上、好ましくは７本以上配置するのが望ましい。
【００１８】
請求項４に係る本発明として、前記吸収体上において、前記腰回り弾性伸縮部材群を切断し不連続としてある請求項２〜３いずれかに記載のパンツ型使い捨ておむつが提供される。
【００１９】
上記請求項４記載の本発明においては、吸収体上において、前記腰回り弾性伸縮部材群を切断し不連続とするものである。従って、前身頃及び後身頃においても吸収体の幅方向への縮こまりを確実に防止することが可能となる。
【発明の効果】
【００２０】
以上詳説のとおり本発明によれば、体液吸収時において確実に紙おむつのずり落ちを防止するとともに、紙おむつをショーツやブリーフのように身体のラインに沿わせて密着させることにより、はき心地の良いものとなる。
【００２１】
また、弾性伸縮部材の固着方法としてビード塗布方式を採用する条件の下で、吸収体の縮こまりを防止すべく湾曲弾性伸縮部材を切断した際、これら各湾曲弾性伸縮部材の固定点を、おむつ長手方向に沿うライン上に揃えることができるようになる。
【発明を実施するための最良の形態】
【００２２】
以下、本発明の実施の形態について図面を参照しながら詳述する。
図１は本発明に係るパンツ型使い捨て紙おむつ１の製品状態外観図であり、図２は展開状態での組み立て図である。
【００２３】
図１及び図２に示されるように、本パンツ型使い捨て紙おむつ１（以下、単に紙おむつという。）は、不織布などからなる透液性表面シート１１と、ポリエチレン等からなる防漏シート１２との間に、綿状パルプなどの吸収体１３を介在させた吸収性本体１０と、この吸収性本体１０の外面側に一体的設けられた外装シート２０とからなり、製品状態で前記外装シート２０の前身頃と後身頃とが両側部において接合されることによりウエスト開口部及び左右一対のレッグ開口部が形成された構造のパンツ型紙おむつである。
【００２４】
以下、前記吸収性本体１０、外装シート２０、およびその組立構造の順で説明する。
【００２５】
（吸収性本体１０の構造）
先ず最初に、吸収性本体１０の構造の一例について図３及び図４に基づいて詳述する。
【００２６】
吸収性本体１０は、前述したように、不織布などからなる透液性表面シート１１と、ポリエチレン等からなる防漏シート１２との間に、綿状パルプなどの吸収体１３を介在させた構造とされ、体液を吸収保持するものである。
【００２７】
前記吸収体１３は、図示例では平面形状を略砂時計状として成形されたものが使用され、股下部では吸収体の幅寸法を狭めることにより股間部への当たりを弱くし着用者にゴワ付き感を与えないようにしている。この吸収体１３は、形状保持と透液性表面シート１１を透過した体液の拡散性向上のためにクレープ紙１４によって囲繞されている。なお、前記吸収体１３としては、嵩を小さくできるエアレイド吸収体を用いるのが望ましい。
【００２８】
前記吸収体１３の表面側（肌当接面側）を覆う透液性表面シート１１としては、有孔または無孔の不織布や多孔性プラスチックシートなどが好適に用いられる。不織布を構成する素材繊維は、ポリエチレンまたはポリプロピレン等のオレフィン系、ポリエステル系、ポリアミド系等の合成繊維の他、レーヨンやキュプラ等の再生繊維、綿等の天然繊維とすることができ、スパンレース法、スパンボンド法、サーマルボンド法、メルトブローン法、ニードルパンチ法等の適宜の加工法によって得られた不織布を用いることができる。これらの加工法の内、スパンレース法は柔軟性、ドレープ性に富む点で優れ、サーマルボンド法は嵩高でソフトである点で優れている。透液性表面シート１１に多数の透孔を形成した場合には、尿などが速やかに吸収されるようになり、ドライタッチ性に優れたものとなる。前記透液性表面シート１１は、吸収体１３の側縁部を巻き込んで吸収体１３の裏面側まで延在している。
【００２９】
前記吸収体１３の裏面側（非肌当接面側）を覆う防漏シート１２は、ポリエチレンまたはポリプロピレンなどの不透液性プラスチックシートが用いられるが、近年はムレ防止の点から透湿性を有するものが好適に用いられる。この遮水・透湿性シートは、たとえばポリエチレンやポリプロピレン等のオレフィン樹脂中に無機充填材を溶融混練してシートを形成した後、一軸または二軸方向に延伸することにより得られる微多孔性シートであり、仮にシート厚が同じであれば無孔シートよりも剛性が低下するため、柔軟性の点で勝るものとなる。
【００３０】
一方、立体ギャザーＢＳを形成するギャザー不織布１５は、図４に示されるように、折返しによって二重シートとした不織布が用いられ、前記透液性表面シート１１によって巻き込まれた吸収体１３の側縁部をさらにその上側から巻き込んで吸収体１３の裏面側まで延在して接着されている。より具体的には、前記ギャザー不織布１５は、紙おむつの長手方向中間部では、立体ギャザーＢＳ形成部分を残し、幅方向中間部から吸収体１３の裏面側に亘る範囲がホットメルト接着剤等によって接着され、また長手方向前後端部では、前記幅方向中間部から一方側端縁までの区間が吸収体１３の裏面側に亘る範囲で接着されるとともに、前記立体ギャザーＢＳを形成する部分を吸収体１３の上面部にて折り畳むようにしながらホットメルト接着剤等により接着している。
【００３１】
前記二重シート不織布によって形成されたギャザー不織布１５の内部には、起立先端側部分に複数本の糸状弾性伸縮部材１６、１６…が配設されている。前記糸状弾性伸縮部材１６、１６…は、製品状態において図４(B)に示されるように、弾性伸縮力により吸収体側縁部より突出する不織布部分を起立させて立体ギャザーＢＳを形成するためのものである。
【００３２】
前記防漏シート１２は、前記二重シート状のギャザー不織布１５の内部まで進入し、図４に示されるように、立体ギャザーＢＳの下端側において防漏壁を構成するようになっている。かかる防漏シート１２としては、排便や尿などの褐色が出ないように不透明のものを用いるのが望ましい。不透明化としては、プラスチック中に、炭酸カルシウム、酸化チタン、酸化亜鉛、ホワイトカーボン、クレイ、タルク、硫酸バリウムなどの顔料や充填材を内添してフィルム化したものが好適に使用される。
【００３３】
前記糸状弾性伸縮部材１６としては、通常使用されるスチレン系ゴム、オレフィン系ゴム、ウレタン系ゴム、エステル系ゴム、ポリウレタン、ポリエチレン、ポリスチレン、スチレンブタジエン、シリコン、ポリエステル等の素材を用いることができる。また、外側から見え難くするため、太さは９２５dtex以下、テンションは150〜350％、間隔は7.0mm以下として配設するのがよい。なお、糸状弾性伸縮部材に代えて、ある程度の幅を有するテープ状弾性伸縮部材を用いるようにしてもよい。
【００３４】
前述のギャザー不織布１５を構成する素材繊維も前記透液性表面シート１１と同様に、ポリエチレンまたはポリプロピレン等のオレフィン系、ポリエステル系、ポリアミド系等の合成繊維の他、レーヨンやキュプラ等の再生繊維、綿等の天然繊維とすることができ、スパンボンド法、サーマルボンド法、メルトブローン法、ニードルパンチ法等の適宜の加工方法に得られた不織布を用いることができるが、特にはムレを防止するために坪量を抑えて通気性に優れた不織布を用いるのがよい。さらに前記ギャザー不織布１５については、尿などの透過を防止するとともに、カブレを防止しかつ肌への感触性（ドライ感）を高めるために、シリコン系、パラフィン金属系、アルキルクロミッククロイド系撥水剤などをコーティングした撥水処理不織布を用いるのが望ましい。
【００３５】
（外装シート２０の構造）
外装シート２０は、図５及び図６に示されるように、上層不織布２０Ａ及び下層不織布２０Ｂからなる２層構造の不織布シートとされ、前記上層不織布２０Ａと下層不織布２０Ｂとの間に各種弾性伸縮部材が配設され、伸縮性が付与されている。平面形状は、中間両側部に夫々脚部開口を形成するために形成された凹状の脚回りカットライン２９により、全体として擬似砂時計形状を成している。
【００３６】
本発明に係る外装シート２０においては、前記弾性伸縮部材として、図５に示される展開形状において、前記ウエスト開口部回り２３に配置されたウエスト部弾性伸縮部材２４，２４…と、前身頃Ｆ及び後身頃Ｂに、上下方向に間隔をおいて水平方向に沿って配置された複数の腰回り弾性伸縮部材群２５，２５…とを有するとともに、前身頃Ｆ及び後身頃Ｂのそれぞれにおいて、前記腰回り弾性伸縮部材群２５，２５…とは別に、前身頃Ｆと後身頃Ｂとを接合する一方側接合縁から股下側に延び、股下側の吸収性本体１０を横断して前身頃と後身頃との他方側接合縁に到達するとともに、互いに交差することなく間隔をおいて配置された複数本の湾曲弾性伸縮部材群２６…、２８…を備えるものである。なお、湾曲弾性伸縮部材群２６…、２８…は吸収性本体１０で切断され不連続となっている。また、本外装シート２０では、前記脚回りカットライン２９に沿って実質的に連続する、所謂脚回り弾性伸縮部材は設けられていない。
【００３７】
以下、前記各種弾性伸縮部材毎に詳述する。
【００３８】
前記ウエスト部弾性伸縮部材２４，２４…は、前身頃Ｆと後身頃Ｂとが接合された脇部接合縁２１、２２の範囲の内、ウエスト開口縁近傍に上下方向に間隔をおいて配設された複数条の糸ゴム状弾性伸縮部材であり、身体のウエスト部回りを締め付けるように伸縮力を与えることにより紙おむつを身体に装着するためのものである。このウエスト部弾性伸縮部材２４は、図示例では糸ゴムを用いたが、例えばテープ状の伸縮部材を用いてもよい。
【００３９】
前記腰回り弾性伸縮部材群２５，２５…は、脇部接合縁２１、２２の内、概ね上部から下部までの範囲に亘り、上下方向に間隔をおいて水平方向に沿って配設された糸ゴム状の弾性伸縮部材であり、前身頃Ｆ及び後身頃Ｂの腰回り部分に夫々水平方向の伸縮力を与え、紙おむつを身体に密着させるためのものである。なお、前記ウエスト部弾性伸縮部材２４、２４…と腰回り弾性伸縮部材群２５、２５…との境界は必ずしも明確でなくてよい。例えば、前身頃Ｆ及び後身頃Ｂに上下方向に間隔をおいて水平方向に配置された弾性伸縮部材の内、数は特定できなくても、上部側の何本かがウエスト部弾性伸縮部材として機能し、残りの弾性伸縮部材が腰回り弾性伸縮部材として機能していればよい。
【００４０】
前記後身頃Ｂにおいて、前記腰回り弾性伸縮部材群２５，２５…とは別に配設された背側湾曲弾性伸縮部材群２６、２６…は、一方側の脇部接合縁２２からほぼ脚回りカットライン２９に沿うように股下部に延び、前記吸収性本体１０上を横断して反対側の脚回りカットライン２９にほぼ沿いながら他方側の脇部接合縁２２に到達するように配置された複数本、図示例では９本の糸ゴム状弾性伸縮部材であり、これら背側湾曲弾性伸縮部材群２６、２６…は互いに交差することなく、間隔をおいて配置された後、吸収体１３の縮こまりを防止するために、前記吸収性本体１０上において、前記背側湾曲弾性伸縮部材群２６，２６…を切断し不連続としてある。
【００４１】
前記湾曲弾性伸縮部材２６…（及び後述の腹側弾性伸縮部材２８…）の不連続化は、後述する公知の方法により、各種弾性伸縮部材を外装シート２０に配置した後、エンボスカッターロールと対向ロールとの間に外装シートを通過させ、前記エンボスカッターロールによる加圧又は加熱により矩形範囲内（図中、記号Ｘの範囲）に存在する湾曲弾性伸縮部材２６…、２８…を細かく切断する方法によればよい。これについては更に後述する。
【００４２】
後述するように、外装シート２０の柔軟性を維持するために、前記湾曲弾性伸縮部材群２６、２６…（及び後述の腹側弾性伸縮部材２８…）は、少なくとも前記吸収性本体１０上の横断領域において、外装シート２０に対して上下方向に間隔をおき水平方向に沿って複数条の列を成すように塗布された接着剤によって固着されることとするが、本発明では前記接着剤の間隔幅と前記湾曲弾性伸縮部材２６，２６（及び後述の腹側弾性伸縮部材２８…）間の接着剤間隔幅方向の離間幅との比がほぼ整数倍に設定されることにより、前記湾曲弾性伸縮部材２６、２６…（及び後述の腹側弾性伸縮部材２８、２８…）を吸収性本体１０上でおむつ長手方向に沿うライン上（切断領域Ｘの側縁が実質的な切断ラインとなる。）で切断した際、各湾曲弾性伸縮部材２６，２６…（及び後述の腹側弾性伸縮部材２８、２８…）はおむつ長手方向のほぼ同一直線上を固定点とするようになっている。この点についても更に後述する。
【００４３】
前記背側湾曲弾性伸縮部材群２６、２６…は、従来の脚回り弾性伸縮部材とは配置態様が異なるものである。すなわち、２，３本程度の弾性伸縮部材を間隔を密にして実質的に一束として配置されるのではなく、所定の伸縮ゾーンを形成するように所定の間隔を空けて、５本以上、好ましくは７本以上配置され、前記外装シート２０の側縁と、前記吸収性本体１０と、前記腰回り弾性伸縮部材群２５，２５…とに囲まれる当該外装シート２０の略三角形領域Ｔrb全体をほぼ覆うように形成されている。従って、前記略三角形領域Ｔrbでは、ほぼ均一にそれぞれ背側弾性伸縮部材２６，２６…により収縮されることになるので、略三角形領域Ｔrbの内側が膨らんでしまい、ポケット様の空間が形成されてしまうことはない。おむつ（外装シート）の内側に着用の妨げになるポケット様の空間が無ければ、着用者がパンツ型使い捨ておむつを脱ぎ履きする際に、その内側に足指や踵が引っ掛かりにくくなるので、パンツ型使い捨ておむつの外装シートを着用し易くなる。また、外装シート２０における前記略三角形領域Ｔrbは、湾曲弾性伸縮部材２６，２６…により覆われて収縮されているので、身体の凹凸や膨らみなどの形状に対応して、外装シート２０をフィットさせるように伸縮することができる。つまり、おむつ１の後身頃Ｂ側においては、身体の臀部に外装シート２０を密着させることができるようになる。
【００４４】
また、前記背側湾曲弾性伸縮部材群２６，２６…の始終端は、前身頃Ｆと後身頃Ｂとの接合縁のほぼ上部から下部の範囲に亘り所定の間隔で接続され、前記吸収性本体１０の側縁との交差部において、前記背側湾曲弾性伸縮部材群２６，２６…と吸収性本体１０側縁との鋭角側交差角αは３５°以上、好ましくは４０°以上、より好ましくは４５°以上となる配置パターンで配置されている。因みに図示例では、交差角αが４７°前後となるように配置されている。前記交差角αは、水平方向分力と鉛直方向分力のバランスから、大きくとも６０°以下とするのが望ましい。
【００４５】
本紙おむつ１では、後身頃Ｂにおいて、臀部の膨らみ形状に対応して外装シート２０をフィットさせるために、臀部の膨らみに対し極力沿う方向に伸縮力を作用させるべく、相対的に緩い傾斜角度で弾性伸縮部材群２６，２６…を配置するようにしたものであり、図示例のように、交差角α＝４７°で伸縮部材２６、２６…が配置されているとすると、与えた伸縮力の７３％を水平方向分力として作用させることができるようになり、臀部を包み込むように外装シート２０を身体に密着させることができるようになる。その結果、吸収性本体１０を中央側に縮こまらせることがなくなるとともに、確実に身体に密着させることにより漏れ防止効果が高まるようになる。
【００４６】
他方、前記外装シート２０の前身頃において、前記腰回り弾性伸縮部材群２５，２５…とは別に配設された腹側湾曲弾性伸縮部材群２８，２８…も、一方側の脇部接合縁２１から脚回りカットライン２９に沿うように股下部に延び、吸収性本体１０上を横断して反対側の脚回りカットライン２９に沿いながら他方側の脇部接合縁２１に到達するとともに、交差することなく間隔をおいて配置された複数本の、図示例では９本の糸状弾性伸縮部材であり、これら腹側湾曲弾性伸縮部材群２８，２８…は、互いに交差することなく、間隔をおいて配置された後、吸収体１３の縮こまりを防止するために、前記背側湾曲弾性伸縮部材群２６，２６…と同様に、前記吸収性本体１０上において切断し不連続としてある。
【００４７】
この腹側湾曲弾性伸縮部材群２８、２８…も、従来の脚回り弾性伸縮部材とは配置態様が異なるものである。すなわち、２，３本程度の弾性伸縮部材を間隔を密にして実質的に一束として配置されるのではなく、所定の伸縮ゾーンを形成するように所定の間隔を空けて、５本以上、好ましくは７本以上配置され、前記外装シート２０の側縁と、前記吸収性本体１０と、前記腰回り弾性伸縮部材群２５，２５…とに囲まれる当該外装シート２０の略三角形領域Ｔrf全体をほぼ覆うように形成されている。これによる効果は先に述べたとおりである。
【００４８】
この腹側弾性伸縮部材群２８，２８…の始終端も、前身頃Ｆと後身頃Ｂとの脇部接合縁２１，２１のほぼ上部から下部の範囲に亘り、所定の間隔で接続され、前記吸収性本体１０の側縁との交差部において、前記腹側湾曲弾性伸縮部材群２８，２８…と吸収性本体１０側縁との鋭角側交差角θが３０°以下、好ましくは２８°以下となる配置パターンで配置されている。因みに、図示例では交差角θが２６°前後となるように配置されている。前記交差角θは、水平方向分力と鉛直方向分力のバランスから、少なくとも２０°以上とするのが望ましい。
【００４９】
本紙おむつ１においては、身体の前側部分には身体の後側臀部のような引掛かりとなる膨らみがないため、紙おむつのずり落ちは主として前身頃側Ｆで顕著に発生する傾向にあるとの知見に鑑み、相対的にきつい傾斜角度で弾性伸縮部材群２８，２８…を配置するようにしたものであり、図示例のように、交差角θ＝２６°で伸縮部材２８、２８…が配置されているとすると、与えた伸縮力の９０％を上方向分力として作用させることができ、紙おむつのずり落ちを効果的に防止できるようになる。
【００５０】
（外装シート２０の製造方法）
次に、前記外装シート２０の製造方法について詳述する。
【００５１】
前記外装シート２０の製造は、図６に示されるように、ニップローラ部３０の上側に上層不織布２０Ａが供給されるとともに、下側に下層不織布２０Ｂが供給され、かつこれら上層不織布２０Ａと下層不織布２０Ｂとの間に、各種弾性伸縮部材（ウエスト部弾性伸縮部材２４、腰回り弾性伸縮部材２５、背側湾曲弾性伸縮部材２６，腹側弾性伸縮部材２８）が供給され、外装シート２０が連続的に組み立てられる。
【００５２】
ここで、前記ウエスト部弾性伸縮部材２４、２４…及び腰回り弾性伸縮部材２５、２５…はライン方向に沿って直線的に導入されるのに対して、前記湾曲弾性伸縮部材２６…、２８…は、公知のトラバース装置３２による曲線状に蛇行させながらニップローラー部３０に導入される。前記トラバース装置３２は、先端部分の弾性伸縮部材２６…、２８…の保持部を有し、連続ウエブ（シート２０Ａ、２０Ｂ）の幅方向への進退を計算された速度で行わしめることにより、弾性伸縮部材２６…、２８…を所定の湾曲形状に配置するようにしたものである。
【００５３】
前記ウエスト部弾性伸縮部材２４及び腰回り弾性伸縮部材２５のシートへの固着は、周面塗布装置３１により前記弾性伸縮部材２４…、２５…の周面にホットメルト接着剤が塗布され、ニップローラ部３０に供給される。
【００５４】
一方、前身頃の腰回り弾性伸縮部材２５、２５…と後身頃腰回り弾性伸縮部材２５，２５…との間の中間ゾーンＭについては、前記上層不織布２０Ａ、下層不織布２０Ｂの内の少なくとも一方側、図示例では下層側不織布２０Ｂに対して、上下方向に間隔をおき水平方向に沿って複数条の列を成すようにコーター３３によってビード塗布され、前記湾曲弾性伸縮部材２６…、２８…は前記中間ゾーンＭにおいて、下層不織布２０Ｂに塗布されたホットメルト接着剤によって固着される。
【００５５】
前記湾曲弾性伸縮部材２６…、２８…を吸収性本体１０上で切断し不連続化するには、特開2002-35029号公報、特開2002-178428号公報及び特開2002-273808号公報に記載される切断方法が好適に採用される。同公報に記載される弾性伸縮部材の切断方法は、基本的には図６に示されるように、前記外装シート２０となる積層シート２０’を製造した後、表面に凸部を複数個配列したエンボスヒートロール３４と、このエンボスヒートロール３４と対向する対向ロール３５との間に前記積層シート２０’を通過させ、この積層シート２０’の湾曲弾性伸縮部材２６…、２８…を前記エンボスヒートロール３４の凸部および対向ロール３５間での加圧および加熱の内の少なくとも一方により切断するものである。なお、図５および図６(B)中のＸ領域が切断範囲を示している。
【００５６】
対向ロール３５は、エンボスヒートロール３４のエンボス部３４ａのみと当接するように、図７(a)に示すように、エンボスヒートロール３４と離間させておくと良く、両ロールの回転によって、図７(B)に示されるように、エンボス部３４ａが下がってくると対向ロール３５と当接することとなる。尚、エンボス部３４ａの表面には、略砂時計状に画成領域３４ｂに、図８に例示されるような小さな凸部４０〜４３が更に形成されていて、実際には、これらの凸部４０〜４３の先端面が対向ロール３５に当接する。
【００５７】
好ましいエンボスパターンの例を図８(a)、(b)に示す。図８(a)は複数の線状の凸部を千鳥状に配接したエンボスパターンである。長さＳ1、幅Ｗ1の線状の凸部４０をエンボスヒートロール３４の軸方向（黒矢印方向）に距離Ｄ1を隔てて配接した凸部群の列と、凸部４０と同じ長さＢ1，幅Ｗ1の凸部４１，４１を、エンボスヒートロール３４の周面方向（白抜き矢印方向）に、凸部４０と距離Ｍ1を隔て、かつ、凸部４１の長さ方向中心線が２／D1の点を通るように配接した凸部群の列とを交互の繰り返したパターンによって構成されている。図８(b)は、菱形状の凸部が千鳥状に配接されたパターンである。長軸Ｂ2、短軸Ｗ2の菱形状の凸部４２，４２をエンボスヒートロール３４の軸方向（黒矢印方向）に距離D2を隔てて配接した凸部群の列と、凸部４２と同じ菱形形状の凸部４３，４３をエンボスヒートロール３４の周面方向（白抜き矢印方向）に、凸部４２と距離M2を隔て、かつ、凸部４２の短軸が２／D2の点に相当するように配設した凸部群の列とを交互に繰り返したパターンによって構成されている。
【００５８】
線状凸部の長さB1および菱形の長軸Ｂ2は、１〜２５mmの範囲とするのが好ましく、５〜２５mmがより好ましい。また、隣接する凸部との離間距離D1とB1が同じか、B1の方が長いことが好ましい。千鳥状配置のため、凸部４０と凸部４０の間に位置する伸縮部材を凸部４１で確実に切断することが可能である。D2とB2においても同様に、D2≦B2とするとが好ましいB1またはB2が１mmよりも短いと、場合によって伸縮部材を切断できないおそれがあり、２５mmよりも長いと、シール部の面積が大きくなり過ぎて、肌触り感が悪くなるおそれがある。よって、D1とD2の範囲も１〜２５mmの範囲が好ましく、D1は、３〜２５mmがよリ好ましい。凸部が菱形の場合、ロール周方向に隣接する凸部の隅角部同士が、伸縮部材付設方向から見て僅かしか重ならない場合、伸縮部材がシール部から逃れて切断できないおそれがあるので、D2は３〜１０mmがより好ましい。
【００５９】
線状凸部の幅W1、および菱形の短軸W2は、０．５〜１５mmとするのが好ましい。０．５mmより細い場合、伸縮部材の切断が行なえないおそれがあり、１５mmより太いと、シール部の面積が大きくなり過ぎて、肌触り感が悪くなるおそれがある。W2に付いては、下限が１mm以上であることがより好ましい。
【００６０】
凸部群の列同士の距離は特に限定されないが、M1またはM2は５〜２５mmが好ましい。凸部の形状は、上記線状、菱形状に限られず、斜線、円形、三角形、星型、その他の多角形等、適用可能である。凸部の各列によって変えることも出来る。
【００６１】
本使い捨ておむつにおいては、前記湾曲弾性伸縮部材２６…、２８…を吸収性本体１０上で切断し不連続化するに当たり、各湾曲弾性伸縮部材２６…、２８…の固定点が、おむつ長手方向のほぼ同一直線上に揃うようにするために、図９に示されるように、前記接着剤の間隔幅Ｓ１と、前記湾曲弾性伸縮部材２６…、２８…間の接着剤間隔幅方向の離間幅Ｓ２との比がほぼ整数倍、図示例では１倍に設定される。そうすると、接着剤ラインと湾曲弾性伸縮部材２６…、２８…との交点（○印部）は、おむつ長手方向に一定位置に規制されるため、前記湾曲弾性伸縮部材群２６…、２８…を吸収性本体１０上でおむつ長手方向に沿うライン位置で切断したとすると、湾曲弾性伸縮部材２６…、２８…の固定点は、おむつ長手方向のほぼ同一直線上（固定点ラインＬ）に揃うようになる。
【００６２】
他の形態例を幾つか示せば、例えば図１０(A)は前記接着剤の間隔幅Ｓ１と前記湾曲弾性伸縮部材２６…、２８…間の接着剤間隔幅方向の離間幅Ｓ２との比をほぼ２倍に設定した場合の例である。また、前記接着剤線は直線ビードに限らず、図１０(B)に示されるように、それぞれの接着剤ラインがスパイラル状に塗布され、全体として複数条の列を成すように塗布されても良いし、図１０(C)に示されるように、それぞれの接着剤ラインがサミットスプレーによって波状に塗布され、全体として複数条の列を成すように塗布される態様であってもよい。
【００６３】
（紙おむつの組立）
前記吸収性本体１０と外装シート２０とは、図２に示されるように、外装シート２０の上面側に吸収性本体１０がホットメルト等の接着剤によって接着され一体化される。そして、吸収性本体１０および外装シート２０が前後方向に折り重ねられ、その両側部が相互に熱溶着またはホットメルト接着剤などによって接合されることによりパンツ型紙おむつに組み立てられる。
【００６４】
〔その他の形態例〕
(1)上記形態例では、湾曲弾性伸縮部材２６…、２８…の切断に当たり、前記エンボスヒートロールにより所定領域の弾性伸縮部材を細かく切断するようにしたが、特開2000-26015号公報に記載されるように、直線状の切断歯を備えるロールカッターにより切断するようにようにしてもよい。
【図面の簡単な説明】
【００６５】
【図１】本発明に係るパンツ型使い捨て紙おむつ１の製品状態外観図である。
【図２】展開状態での組み立て図である。
【図３】吸収性本体１０の平面図である。
【図４】(A)は吸収性本体１０の展開状態での半横断面図、(B)はその製品状態を示す図である。
【図５】外装シート２０の展開図である。
【図６】外装シート２０の組立て要領を示す、(A)は模式図、(B)はその要部平面図である。
【図７】エンボスヒートロール及び対向ロールの動作態様の説明図である。
【図８】(a)、(b)は千鳥状配列のエンボスパターンの例を示す説明図である。
【図９】本発明による湾曲弾性伸縮部材２６…、２８…の切断方法を示す説明図である。
【図１０】(A)〜(C)は本発明切断方法の変形例を示す図である。
【図１１】従来の湾曲弾性伸縮部材２６…、２８…の切断方法を示す説明図である。
【図１２】従来のパンツ型使い捨て紙おむつ（その１）を示す展開図である。
【図１３】従来のパンツ型使い捨て紙おむつ（その２）を示す、(A)は正面図、(B)は展開図である。
【符号の説明】
【００６６】
１…紙おむつ、１０…吸収性本体、１１…透液性表面シート、１２…防漏シート、１３…吸収体、１４…クレープ紙、１５…ギャザー不織布、１６…糸状弾性伸縮部材、２０…外装シート、２１・２２…脇部接合縁、２４…ウエスト部弾性伸縮部材、２５…腰回り弾性伸縮部材、２６…背側湾曲弾性伸縮部材、２８…腹側湾曲弾性伸縮部材、２９…脚回りカットライン、Ｆ…前身頃、Ｂ…後身頃
【図１】
2006149749.tif 000003
【図２】
2006149749.tif 000004
【図３】
2006149749.tif 000005
【図４】
2006149749.tif 000006
【図５】
2006149749.tif 000007
【図６】
2006149749.tif 000008
【図７】
2006149749.tif 000009
【図８】
2006149749.tif 000010
【図９】
2006149749.tif 000011
【図１０】
2006149749.tif 000012
【図１１】
2006149749.tif 000013
【図１２】
2006149749.tif 000014
【図１３】
2006149749.tif 000015